【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後に表示結果を導出し、該表示結果に応じて入賞が発生可能なスロットマシンにおいて、
遊技の進行を制御する遊技制御手段と、
表示結果が導出される前に、第１の特定表示結果と第２の特定表示結果を含む複数種類の表示結果について、導出が許容される表示結果を決定する事前決定手段と、
遊技者が表示結果を導出させるために操作する導出操作手段と、
前記事前決定手段の決定結果と前記導出操作手段の操作とに応じて表示結果を導出する導出制御手段とを備え、
前記事前決定手段は、所定の条件が成立している成立状態において、前記第１の特定表示結果の導出を許容する旨と前記第２の特定表示結果の導出を許容する旨とを１ゲームにおいて同時に決定する同時決定手段を含み、
前記導出制御手段は、前記同時決定手段により前記第１の特定表示結果の導出を許容する旨と前記第２の特定表示結果の導出を許容する旨が同時に決定されているときにおいて、第１手順で前記導出操作手段が操作されたときには前記第１の特定表示結果を導出させ、該第１手順以外の手順で前記導出操作手段が操作されたときには該第１の特定表示結果以外の表示結果を導出させるとともに、該第１手順とは異なる第２手順で前記導出操作手段が操作されたときには前記第２の特定表示結果を導出させ、該第２手順以外の手順で前記導出操作手段が操作されたときには該第２の特定表示結果以外の表示結果を導出させる特定表示結果導出手段とを含み、
前記スロットマシンは、
前記第１の特定表示結果が導出されたときに、特定状態のうちの第１の特定状態に制御する第１特定状態制御手段と、
前記第２の特定表示結果が導出されたときに、前記特定状態のうちの前記第１の特定状態とは異なる第２の特定状態に制御する第２特定状態制御手段とをさらに備え、
前記事前決定手段は、前記複数種類の表示結果として前記特定状態とは異なる遊技者にとって有利な特別状態への移行を伴う特別表示結果の導出を許容するか否かを決定するとともに、前記所定の条件が成立していない不成立状態において前記第１の特定表示結果および／または前記第２の特定表示結果の導出を許容する旨を決定するときには、前記特別表示結果の導出を許容する旨も同時に決定する
ことを特徴とするスロットマシン。
【手続補正２】
【補正対象書類名】明細書
【補正対象項目名】０００８
【補正方法】変更
【補正の内容】
【０００８】
上記目的を達成するため、本発明の請求項１にかかるスロットマシンは、
各々が識別可能な複数種類の識別情報を変動表示可能な可変表示部（可変表示装置２）を備え、
前記可変表示部を変動表示した後に表示結果を導出し、該表示結果に応じて入賞が発生可能なスロットマシン（スロットマシン１）において、
遊技の進行を制御する遊技制御手段（遊技制御基板１０１）と、
表示結果が導出される前に、第１の特定表示結果と第２の特定表示結果（リプレイＢ、リプレイＣ）を含む複数種類の表示結果について、導出が許容される表示結果を決定する事前決定手段（ステップＳ１０３）と、
遊技者が表示結果を導出させるために操作する導出操作手段（停止ボタン１２Ｌ、１２Ｃ、１２Ｒ）と、
前記事前決定手段の決定結果と前記導出操作手段の操作とに応じて表示結果を導出する導出制御手段（ステップＳ１０４）とを備え、
前記事前決定手段は、所定の条件が成立している成立状態（ＲＴ１）において、前記第１の特定表示結果（リプレイＢ）の導出を許容する旨と前記第２の特定表示結果（リプレイＣ）の導出を許容する旨とを１ゲームにおいて同時に決定する同時決定手段（図１７（ｂ）：リプレイＢ＋リプレイＣ）を含み、
前記導出制御手段は、前記同時決定手段により前記第１の特定表示結果の導出を許容する旨と前記第２の特定表示結果の導出を許容する旨が同時に決定されているときにおいて、第１手順で前記導出操作手段が操作されたときには前記第１の特定表示結果を導出させ、該第１手順以外の手順で前記導出操作手段が操作されたときには該第１の特定表示結果以外の表示結果を導出させるとともに、該第１手順とは異なる第２手順で前記導出操作手段が操作されたときには前記第２の特定表示結果を導出させ、該第２手順以外の手順で前記導出操作手段が操作されたときには該第２の特定表示結果以外の表示結果を導出させる特定表示結果導出手段（リプレイＢ当選フラグとリプレイＣ当選フラグが設定されているときにおいて、例えば、左の停止ボタン１２Ｌが１番目に操作された場合は、１２番〜１９番の図柄が下段に位置するタイミングであればリプレイＢに入賞し、１２番〜１９番以外の図柄が下段に位置するタイミングであればリプレイＣに入賞する）とを含み、
前記スロットマシンは、
前記第１の特定表示結果が導出されたときに、特定状態のうちの第１の特定状態（ＲＴ２）に制御する第１特定状態制御手段（ステップＳ６０９）と、
前記第２の特定表示結果が導出されたときに、前記特定状態のうちの前記第１の特定状態とは異なる第２の特定状態（ＲＴ３）に制御する第２特定状態制御手段（ステップＳ６１１）とをさらに備え、
前記事前決定手段は、前記複数種類の表示結果として前記特定状態とは異なる遊技者にとって有利な特別状態（レギュラーボーナス、ビッグボーナス）への移行を伴う特別表示結果（レギュラーボーナス、ビッグボーナス（１）、ビッグボーナス（２））の導出を許容するか否かを決定するとともに、前記所定の条件が成立していない不成立状態において前記第１の特定表示結果および／または前記第２の特定表示結果の導出を許容する旨を決定するときには、前記特別表示結果の導出を許容する旨も同時に決定する（図１７（ｂ）：通常の遊技状態、ＲＴ２、ＲＴ３におけるリプレイＢ＋リプレイＣの判定値数は０）
ことを特徴とする。
また、上記目的を達成するため、本発明にかかるスロットマシンは、
遊技用価値（メダル）を用いて１ゲームに対して所定数の賭数を設定することによりゲームを開始させることが可能となり、各々が識別可能な複数種類の識別情報を変動表示させる可変表示装置（可変表示装置２）に表示結果が導出されることにより１ゲームが終了し、該可変表示装置に導出された表示結果に応じて入賞が発生可能であるスロットマシン（スロットマシン１）において、
前記識別情報の変動表示をそれぞれ停止させるために遊技者により操作される停止操作手段（停止ボタン１２Ｌ、１２Ｃ、１２Ｒ）と、
ゲーム毎に前記可変表示装置に表示結果が導出されるより前に、種類の特定表示結果と第２種類の特定表示結果（リプレイＢ、リプレイＣ）とを含む複数種類の表示結果の導出を許容するか否かを決定する事前決定手段（ステップＳ１０３）と、
前記事前決定手段の決定結果と前記停止操作手段の操作手順とに応じて前記可変表示装置に表示結果を導出させる導出制御手段（ステップＳ１０４）とを備え、
前記事前決定手段は、前記第１種類の特定表示結果（リプレイＢ）の導出を許容する旨と前記第２種類の特定表示結果（リプレイＣ）の導出を許容する旨とを１ゲームにおいて同時に決定する同時決定手段（図１７（ｂ）：リプレイＢ＋リプレイＣ）を含み、
前記導出制御手段は、前記同時決定手段により前記第１種類の特定表示結果の導出を許容する旨と前記第２種類の特定表示結果の導出を許容する旨が同時に決定されているときにおいて、第１手順で前記停止操作手段が操作されたときには前記第１種類の特定表示結果を導出させ、該第１手順以外の手順で前記停止操作手段が操作されたときには該第１種類の特定表示結果以外の表示結果を導出させるとともに、該第１手順とは異なる第２手順で前記停止操作手段が操作されたときには前記第２種類の特定表示結果を導出させ、該第２手順以外の手順で前記停止操作手段が操作されたときには該第２種類の特定表示結果以外の表示結果を導出させる特定表示結果導出手段（リプレイＢ当選フラグとリプレイＣ当選フラグが設定されているときにおいて、例えば、左の停止ボタン１２Ｌが１番目に操作された場合は、１２番〜１９番の図柄が下段に位置するタイミングであればリプレイＢに入賞し、１２番〜１９番以外の図柄が下段に位置するタイミングであればリプレイＣに入賞する）を含み、
前記スロットマシンは、
前記第１種類の特定表示結果が導出されたときに、通常遊技状態（通常遊技状態、ＲＴ１）とは異なる特定遊技状態のうちの第１種類の特定遊技状態（ＲＴ２）に遊技状態を制御する第１特定遊技状態制御手段（ステップＳ６０９）と、
前記第２種類の特定表示結果が導出されたときに、前記特定遊技状態のうちの前記第１種類の特定遊技状態とは異なる第２種類の特定遊技状態（ＲＴ３）に遊技状態を制御する第２特定遊技状態制御手段（ステップＳ６１１）とをさらに備えるとともに、
前記特定遊技状態においては、前記第１種類の特定表示結果または前記第２種類の特定表示結果が導出されたときであっても、遊技状態を移行させず、
前記事前決定手段は、前記複数種類の表示結果として前記通常遊技状態とも前記特定遊技状態とも異なる遊技者にとって有利な特別遊技状態（レギュラーボーナス、ビッグボーナス）への移行を伴う特別表示結果（レギュラーボーナス、ビッグボーナス（１）、ビッグボーナス（２））の導出を許容するか否かを決定するとともに、前記特定遊技状態（ＲＴ２、ＲＴ３）において前記第１種類の特定表示結果および／または前記第２種類の特定表示結果の導出を許容する旨を決定するときには、前記特別表示結果の導出を許容する旨も同時に決定する（図１７（ｂ）：通常の遊技状態、ＲＴ２、ＲＴ３におけるリプレイＢ＋リプレイＣの判定値数は０）、
ことを特徴とする。
【手続補正３】
【補正対象書類名】明細書
【補正対象項目名】００１０
【補正方法】変更
【補正の内容】
【００１０】
このように成立状態においては、遊技者が停止操作手段の操作手順を選択することによって第１、第２種類の何れの特定表示結果を導出させるかを選択することにより、第１、第２種類の特定遊技状態のうちの任意の状態に遊技状態を制御させるかに遊技者が自らの操作で介入することができるので、遊技の興趣を向上させることができる。また、可変表示装置の表示結果として第１、第２種類の特定表示結果の何れが導出されたかに応じて第１、第２種類の特定遊技状態の何れに制御されるかも決まるため、どのような特定遊技状態に制御されることとなるかが遊技者にとって分かり易いものとなる。
また、特定遊技状態において第１、第２種類の特定表示結果の何れかが導出され、それぞれ第１、第２種類の特定遊技状態に制御されたときには、特別表示結果の導出を許容する旨が決定されていることも遊技者が期待できるものとなるので、さらに遊技の興趣を向上させることができる。また、特定遊技状態においては、特別表示結果の導出を許容する旨が決定されなければ、第１、第２種類の特定表示結果の導出を許容する旨が決定されることもないので、特別表示結果の導出を許容する旨が決定されなくても第１、第２種類の特定表示結果の導出を許容する旨が決定され得る特定遊技状態以外の遊技状態のときに希少感を与えることができる。
【手続補正４】
【補正対象書類名】明細書
【補正対象項目名】００１８
【補正方法】変更
【補正の内容】
【００１８】
上記スロットマシンにおいて、
前記可変表示装置は、各々が識別可能な複数種類の識別情報が配置されたリールを回動させることで該識別情報を変動表示させるものとすることができる。この場合において、
前記スロットマシンは、永久磁石が組み込まれたロータを囲むように配置された複数の励磁相に対して予め定められた順番で励磁させて前記リールを回転駆動するステッピングモータをさらに備え、
前記遊技制御手段は、
前記ステッピングモータの前記励磁相に対して前記予め定められた順番で励磁させる駆動制御を行う駆動制御手段と、
前記遊技制御手段は、
前記ステッピングモータの前記励磁相に対して前記予め定められた順番で励磁させる駆動制御を行う駆動制御手段と、
前記リールが停止したときに前記ステッピングモータにより励磁される励磁相である停止相の特定に必要なデータを含む前記遊技制御手段を構成するマイクロコンピュータが動作を行うためのデータを読み出し及び書き込み可能に記憶する記憶領域を有するデータ記憶手段と、
前記スロットマシンへの電力供給が開始されたときに、前記複数の励磁相のうち予め定められた初期位置の励磁相を示すデータを、前記停止相の特定に必要なデータとして前記データ記憶手段に設定する初期励磁相設定手段と、
前記初期励磁相設定手段が前記初期位置の励磁相を示すデータを前記データ記憶手段に設定した後、ゲームが開始可能となる前に前記初期位置の励磁相を励磁する初期励磁手段とを備え、
前記導出制御手段は、前記第１手順で前記停止操作手段が操作されたときと前記第２手順で前記停止操作手段が操作されたときとで前記駆動制御手段に異なる駆動制御を行わせることにより、前記第１種類の特定表示結果または前記第２種類の特定表示結果を導出させることができる。
【手続補正５】
【補正対象書類名】明細書
【補正対象項目名】００１９
【補正方法】削除
【補正の内容】
【手続補正６】
【補正対象書類名】明細書
【補正対象項目名】００５３
【補正方法】変更
【補正の内容】
【００５３】
電源基板１００は、後述する内部抽選への当選確率を設定し、これに基づいて算出されるメダルの仮想払出率の設定値（設定１〜設定６）を変更するための設定スイッチ９１、設定スイッチ９１を操作有効とする設定キースイッチ９２、内部状態（ＲＡＭ１１２）をリセットする第２リセットスイッチ９３、及び電源のＯＮ／ＯＦＦ切り替えを行うメインスイッチ９４にもそれぞれ接続されており、これらのスイッチの検出信号を遊技制御基板１０１へと送る。これらのスイッチ９１〜９４は、スロットマシン１の内部に設けられている。
【手続補正７】
【補正対象書類名】明細書
【補正対象項目名】０１２０
【補正方法】変更
【補正の内容】
【０１２０】
ドア開放信号は、ＯＮ状態のときに前面扉が開放されていることを示す信号であり、設定キースイッチ９２や設定スイッチ９１、或いは各種基板１０１〜１０６及び基板間を接続するケーブルは、スロットマシン１の前面扉を開放した内部に設置されているので、前面扉が開放されているときには不正が行われている可能性があるために出力されるものである。設定値変更信号は、ＯＮ状態のときに設定値の変更が行われていることを示す信号であり、設定値の変更はメダルの払出率に直接的に影響があることで不正が行われている可能性があるために出力されるものである。